(57)【要約】【課題】段ボール箱のような箱体に収容されて使用される断熱箱において、内部の冷気の外部への漏れを少なくする。【解決手段】２枚の板状部材がそれぞれコの字状に折り曲げられた状態で互いに組み合わされてなる六面体の外箱に、２枚の板状部材がそれぞれコの字状に折り曲げられた状態で互いに組み合わされてなる六面体の内箱が収容されて構成される断熱箱１であって、内箱が、内箱の３つの側面を構成する板部４１〜４３からなる板状部材のコの字状の開放部分が、外箱の３つの側面を構成する板部２１〜２３からなる板状部材のコの字状の開放部分とは逆向きとなるように外箱に収容されている。【選択図】図３
2018111521.tif 000002
【特許請求の範囲】
【請求項１】
断熱性材料からなり、コの字状に折り曲げ可能な第１、第２、第３及び第４の板状部材が組み合わされて構成される断熱箱であって、
前記第１の板状部材と前記第２の板状部材とがそれぞれコの字状に折り曲げられた状態で互いに組み合わされ、前記第１の板状部材によって、蓋部、底面及び１つの側面が構成され、第２の板状部材によって３つの側面が構成されてなる六面体の外箱と、
前記第３の板状部材と前記第４の板状部材とがそれぞれコの字状に折り曲げられた状態で互いに組み合わされ、前記第３の板状部材によって、蓋部、底面及び１つの側面が構成され、第４の板状部材によって３つの側面が構成されてなる六面体の内箱とを有し、
前記内箱は、前記第４の板状部材のコの字状の開放部分が前記第２の板状部材のコの字状の開放部分とは逆向きとなるように前記外箱に収容されている、断熱箱。
【請求項２】
請求項１に記載の断熱箱において、
前記内箱が前記外箱に収容された状態における当該内箱の蓋部の上面の高さが、前記内箱が前記外箱に収容された状態における前記第２の板状部材の上端部と同じ高さである、断熱箱。
【請求項３】
六面体からなる外箱に、六面体からなる複数の内箱が収容されてなる断熱箱であって、
前記外箱は、断熱性材料からなり、コの字状に折り曲げ可能な第１の板状部材と第２の板状部材とがそれぞれコの字状に折り曲げられた状態で互いに組み合わされ、前記第１の板状部材によって、蓋部、底面及び１つの側面が構成され、第２の板状部材によって３つの側面が構成され、
前記複数の内箱のそれぞれは、断熱性材料からなり、コの字状に折り曲げ可能な第３の板状部材と第４の板状部材とがそれぞれコの字状に折り曲げられた状態で互いに組み合わされ、前記第３の板状部材によって、蓋部、底面及び１つの側面が構成され、第４の板状部材によって３つの側面が構成され、前記第４の板状部材のコの字状の開放部分が前記第２の板状部材のコの字状の開放部分とは逆向きとなるように前記外箱に収容されている、断熱箱。
【発明の詳細な説明】
【技術分野】
【０００１】
本発明は、段ボール箱のような箱体に収容されて使用される断熱箱に関する。
【背景技術】
【０００２】
物流システムにおいては、物品を一定温度、例えば低温で輸送するサービスが、陸送、空輸を問わず提供されている。物品を低温で輸送する場合は、例えば、断熱性を有する保冷箱に物品とともに保冷材を収容し、この保冷材の冷気によって物品を保冷しながら輸送することが考えられる。また、倉庫内にて物品を低温で保管する場合も同様に、断熱性を有する保冷箱に物品とともに保冷材を収容し、保冷材の冷気によって物品を保冷しながら保管することが考えられる。
【０００３】
このような保冷箱としては、段ボール箱等の箱体内に、断熱性材料からなる６枚の板状部材を箱体の内部六面をそれぞれ覆うように配置したものが考えられている（例えば、特許文献１参照）。このように、段ボール箱等の箱体の内部六面のそれぞれを、断熱性材料からなる６枚の板状部材で覆うことにより、物品を一定温度に保冷することができる。
【先行技術文献】
【特許文献】
【０００４】
【特許文献１】特開２００２−５９９８４号公報
【発明の概要】
【発明が解決しようとする課題】
【０００５】
しかしながら、上述したように、段ボール箱等の箱体の内部六面のそれぞれを、断熱性材料からなる６枚の板状部材で覆うものにおいては、６枚の板状部材の境界部分に隙間が生じる場合があり、その場合、内部の冷気がその境界部分から外部に漏れてしまうという問題点がある。
【０００６】
本発明は、上述したような従来の技術が有する問題点に鑑みてなされたものであって、段ボール箱のような箱体に収容されて使用される断熱箱において、内部の冷気の外部への漏れを少なくすることができる断熱箱を提供することを目的とする。
【課題を解決するための手段】
【０００７】
上記目的を達成するために本発明は、
断熱性材料からなり、コの字状に折り曲げ可能な第１、第２、第３及び第４の板状部材が組み合わされて構成される断熱箱であって、
前記第１の板状部材と前記第２の板状部材とがそれぞれコの字状に折り曲げられた状態で互いに組み合わされ、前記第１の板状部材によって、蓋部、底面及び１つの側面が構成され、第２の板状部材によって３つの側面が構成されてなる六面体の外箱と、
前記第３の板状部材と前記第４の板状部材とがそれぞれコの字状に折り曲げられた状態で互いに組み合わされ、前記第３の板状部材によって、蓋部、底面及び１つの側面が構成され、第４の板状部材によって３つの側面が構成されてなる六面体の内箱とを有し、
前記内箱は、前記第４の板状部材のコの字状の開放部分が前記第２の板状部材のコの字状の開放部分とは逆向きとなるように前記外箱に収容されている。
【０００８】
上記のように構成された本発明においては、断熱性材料からなり、コの字状に折り曲げ可能な第３の板状部材と第４の板状部材とがコの字状に折り曲げられた状態で互いに組み合わされて六面体からなる内箱が構成されているため、内箱には、第３の板状部材と第４の板状部材との境界部分に隙間が生じる場合がある。一方、断熱性材料からなり、コの字状に折り曲げ可能な第１の板状部材と第２の板状部材とがコの字状に折り曲げられた状態で互いに組み合わされて六面体からなる外箱が構成されているため、外箱にも、第１の板状部材と第２の板状部材との境界部分に隙間が生じる場合がある。そして、内箱が外箱に収容されることで断熱箱が構成されることになるが、内箱が、内箱の３つの側面を構成する第４の板状部材のコの字状の開放部分が、外箱の３つの側面を構成する第２の板状部材のコの字状の開放部分とは逆向きとなるように外箱に収容されるので、内箱の蓋部、底面及び１つの側面を構成する第３の板状部材のコの字状の開放部分も、外箱の蓋部、底面及び１つの側面を構成する第１の板状部材のコの字状の開放部分とは逆向きとなり、それにより、内箱の第３の板状部材と第４の板状部材との境界部分に隙間が生じたとしても、その隙間の外側の部分には外箱の板状部材が存在し、また、外箱の第１の板状部材と第２の板状部材との境界部分に隙間が生じたとしても、その隙間の内側の部分には内箱の板状部材が存在することとなる。それにより、内部の冷気の外部への漏れが少なくなる。また、断熱性材料からなる第１の板状部材と第２の板状部材とで構成された六面体からなる外箱に、断熱性材料からなる第３の板状部材と第４の板状部材とで構成された六面体からなる内箱が収容されるので、六面の全てにおいて、断熱性材料からなる板状部材が２枚重ね合わされた状態となり、高い断熱性能が実現される。
【０００９】
また、内箱が外箱に収容された状態における内箱の蓋部の上面の高さが、内箱が外箱に収容された状態における第２の板状部材の上端部と同じ高さであれば、外箱の蓋部が閉じられた場合、内箱の蓋部の上面以外に第２の板状部材の上端部に外箱の蓋部が当接した状態となることで、上面からの押圧に強くなる。
【００１０】
また、複数の内箱を上記同様にして外箱に収容すれば、複数の内箱毎に異なる温度環境を設定することができる。
【発明の効果】
【００１１】
本発明によれば、第１の板状部材と第２の板状部材とがそれぞれコの字状に折り曲げられた状態で互いに組み合わされてなる六面体の外箱に、第３の板状部材と第４の板状部材とがそれぞれコの字状に折り曲げられた状態で互いに組み合わされてなる六面体の内箱が収容された状態で、段ボール箱のような箱体に収容されて使用されることになるが、内箱が、内箱の３つの側面を構成する第４の板状部材のコの字状の開放部分が、外箱の３つの側面を構成する第２の板状部材のコの字状の開放部分とは逆向きとなるように外箱に収容されていることで、内箱の第３の板状部材と第４の板状部材との境界部分に隙間が生じたとしても、その隙間の外側の部分には外箱の板状部材が存在し、また、外箱の第１の板状部材と第２の板状部材との境界部分に隙間が生じたとしても、その隙間の内側の部分には内箱の板状部材が存在することとなり、それにより、内部の冷気の外部への漏れを少なくすることができる。また、断熱性材料からなる第１の板状部材と第２の板状部材とで構成された六面体からなる外箱に、断熱性材料からなる第３の板状部材と第４の板状部材とで構成された六面体からなる内箱が収容されることにより、六面の全てにおいて、断熱性材料からなる板状部材が２枚重ね合わされた状態となり、高い断熱性能を実現することができる。
【００１２】
また、内箱が外箱に収容された状態における内箱の蓋部の上面の高さが、内箱が外箱に収容された状態における第２の板状部材の上端部と同じ高さのものにおいては、外箱の蓋部が閉じられた場合、内箱の蓋部の上面以外に第２の板状部材の上端部に外箱の蓋部が当接した状態となるため、上面からの押圧に強くなる。
【００１３】
また、複数の内箱を上記同様にして外箱に収容したものにおいては、複数の内箱毎に異なる温度環境を設定することができる。
【図面の簡単な説明】
【００１４】
【図１】本発明の断熱箱の実施の一形態を構成する外箱の構成を示す図であり、（ａ），（ｂ）は外箱を構成する板状部材を示す図、（ｃ）は（ａ），（ｂ）に示した板状部材が組み合わされて構成された外箱の外観斜視図、（ｄ）は（ｃ）に示した外箱の蓋部を開けた状態の外観斜視図である。
【図２】本発明の断熱箱の実施の一形態を構成する内箱の構成を示す図であり、（ａ），（ｂ）は内箱を構成する板状部材を示す図、（ｃ）は（ａ），（ｂ）に示した板状部材が組み合わされて構成された内箱の外観斜視図、（ｄ）は（ｃ）に示した内箱の蓋部を開けた状態の外観斜視図である。
【図３】図１に示した外箱に図２に示した内箱が収容されて構成された断熱箱を示す外観斜視図であり、（ａ）は外箱と内箱の蓋部がいずれも開いた状態を示す図、（ｂ）は外箱の蓋部のみが開いた状態を示す図である。
【図４】図１に示した外箱に図２に示した内箱が収容された状態における、外箱を構成する板状部材と内箱を構成する板状部材との向きを説明するための図であり、（ａ）は図３に示した断熱箱の一対の側面に平行な断面を示す図、（ｂ）は図３に示した断熱箱の底面に平行な断面を示す図である。
【図５】図１〜図３に示した断熱箱の具体的な使用形態を説明するための外観斜視図である。
【図６】図１〜図３に示した断熱箱の具体的な使用形態を説明するための外観斜視図である。
【図７】段ボール箱に収容された断熱箱内に物品を収容した状態を示す外観斜視図である。
【図８】図１〜図３に示した断熱箱による作用を説明するための図であり、（ａ）は図３に示した断熱箱の一対の側面に平行な断面を示す図、（ｂ）は図３に示した断熱箱の底面に平行な断面を示す図である。
【図９】本発明の断熱箱の他の実施の形態を示す外観斜視図である。
【発明を実施するための形態】
【００１５】
以下に、本発明の実施の形態について図面を参照して説明する。
【００１６】
図１は、本発明の断熱箱の実施の一形態を構成する外箱の構成を示す図であり、（ａ），（ｂ）は外箱を構成する板状部材を示す図、（ｃ）は（ａ），（ｂ）に示した板状部材１０，２０が組み合わされて構成された外箱の外観斜視図、（ｄ）は（ｃ）に示した外箱２の蓋部を開けた状態の外観斜視図である。
【００１７】
本形態における外箱は図１に示すように、第１の板状部材１０と第２の板状部材２０とが組み合わされて構成される。
【００１８】
板状部材１０は、例えば矢崎総業製のアローエコ等の、紙を原料とする２０ｍｍ程度の厚さを有する断熱性材料から構成されており、３つの板部１１〜１３が折り部１４ａ，１４ｂを介して折り曲げ可能に連接して構成されている。板状部材１０は、折り部１４ａ，１４ｂに対して加熱しながら筋押し加工が施されることで、折り部１４ａ，１４ｂにて折り曲げ可能となっている。
【００１９】
板状部材２０は、例えば矢崎総業製のアローエコ（登録商標）等の、紙を原料とする２０ｍｍ程度の厚さを有する断熱性材料から構成されており、３つの板部２１〜２３が折り部２４ａ，２４ｂを介して折り曲げ可能に連接して構成されている。板状部材２０は、折り部２４ａ，２４ｂに対して加熱しながら筋押し加工が施されることで、折り部２４ａ，２４ｂにて折り曲げ可能となっている。
【００２０】
このように構成された板状部材１０，２０がそれぞれ、折り部１４ａ，１４ｂ，２４ａ，２４ｂにてコの字状に折り曲げられて組み合わされることで、図１（ｃ），（ｄ）に示すように、六面体の外箱２が構成される。その際、板状部材２０の端面が、板状部材１０の外周に沿った部分に当接した状態となる。そして、板状部材１０の板部１１によって外箱２の蓋部が構成され、板状部材１０の板部１３によって外箱２の底面が構成され、板状部材１０の板部１２と板状部材２０の板部２１〜２３によって外箱２の４つの側面が構成されることになる。外箱２の蓋部となる板部１１は、外箱２の１つの側面となる板部１２と折り部１４ａを介して折り曲げ可能に連接していることで、外箱２の蓋部が折り部１４ａを中心として開閉可能となり、閉じた状態では、板状部材２０の上端部となる端面にて支えられることになる。
【００２１】
ここで、板状部材１０，２０の板部１１〜１３，２１〜２３の連接方向を第１の方向とし、それと直交する方向を第２の方向とした場合、上記のように、板状部材１０，２０がそれぞれ、折り部１４ａ，１４ｂ，２４ａ，２４ｂにてコの字状に折り曲げられて組み合わされることで、六面体の外箱２が構成されることから、板状部材２０においては、第２の方向の長さが、板状部材１０の厚さと板部１２の第１の方向の長さに応じたものとなっている。また、板状部材２０の板部２１，２３の第１の方向の長さが、板状部材１０の厚さと板部１１，１３の第１の方向の長さに応じたものとなっている。また、板状部材２０の板部２２の第１の方向の長さが、板状部材１０の厚さと第２の方向の長さに応じたものとなっている。
【００２２】
図２は、本発明の断熱箱の実施の一形態を構成する内箱の構成を示す図であり、（ａ），（ｂ）は内箱を構成する板状部材を示す図、（ｃ）は（ａ），（ｂ）に示した板状部材３０，４０が組み合わされて構成された内箱の外観斜視図、（ｄ）は（ｃ）に示した内箱３の蓋部を開けた状態の外観斜視図である。
【００２３】
本形態における内箱は図２に示すように、第３の板状部材３０と第４の板状部材４０とが組み合わされて構成される。
【００２４】
板状部材３０は、例えば矢崎総業製のアローエコ等の、紙を原料とする２０ｍｍ程度の厚さを有する断熱性材料から構成されており、３つの板部３１〜３３が折り部３４ａ，３４ｂを介して折り曲げ可能に連接して構成されている。板状部材３０は、折り部３４ａ，３４ｂに対して加熱しながら筋押し加工が施されることで、折り部３４ａ，３４ｂにて折り曲げ可能となっている。
【００２５】
板状部材４０は、例えば矢崎総業製のアローエコ等の、紙を原料とする２０ｍｍ程度の厚さを有する断熱性材料から構成されており、３つの板部４１〜４３が折り部４４ａ，４４ｂを介して折り曲げ可能に連接して構成されている。板状部材４０は、折り部４４ａ，４４ｂに対して加熱しながら筋押し加工が施されることで、折り部４４ａ，４４ｂにて折り曲げ可能となっている。
【００２６】
このように構成された板状部材３０，４０がそれぞれ、折り部３４ａ，３４ｂ，４４ａ，４４ｂにてコの字状に折り曲げられて組み合わされることで、図２（ｃ），（ｄ）に示すように、六面体の内箱３が構成される。その際、板状部材４０の端面が、板状部材３０の外周に沿った部分に当接した状態となる。そして、板状部材３０の板部３１によって内箱３の蓋部が構成され、板状部材３０の板部３３によって内箱３の底面が構成され、板状部材３０の板部３２と板状部材４０の板部４１〜４３によって内箱３の４つの側面が構成されることになる。内箱３の蓋部となる板部３１は、内箱３の１つの側面となる板部３２と折り部３４ａを介して折り曲げ可能に連接していることで、内箱２の蓋部が折り部３４ａを中心として開閉可能となり、閉じた状態では、板状部材４０の上端部となる端面にて支えられることになる。
【００２７】
ここで、板状部材３０，４０の板部３１〜３３，４１〜４３の連接方向を第１の方向とし、それと直交する方向を第２の方向とした場合、上記のように、板状部材３０，４０がそれぞれ、折り部３４ａ，３４ｂ，４４ａ，４４ｂにてコの字状に折り曲げられて組み合わされることで、六面体の内箱３が構成されることから、板状部材４０においては、第２の方向の長さが、板状部材３０の厚さと板部３２の第１の方向の長さに応じたものとなっている。また、板状部材４０の板部４１，４３の第１の方向の長さが、板状部材３０の厚さと板部３１，３３の第１の方向の長さに応じたものとなっている。また、板状部材４０の板部４２の第１の方向の長さが、板状部材３０の厚さと第２の方向の長さに応じたものとなっている。
【００２８】
上記のように構成された外箱２に内箱３が収容されることで、本形態の断熱箱が構成される。
【００２９】
図３は、図１に示した外箱２に図２に示した内箱３が収容されて構成された断熱箱を示す外観斜視図であり、（ａ）は外箱２と内箱３の蓋部がいずれも開いた状態を示す図、（ｂ）は外箱２の蓋部のみが開いた状態を示す図である。図４は、図１に示した外箱２に図２に示した内箱３が収容された状態における、外箱２を構成する板状部材１０，２０と内箱３を構成する板状部材３０，４０との向きを説明するための図であり、（ａ）は図３に示した断熱箱１の板部２１，２３，４１，４３に平行な断面を示す図、（ｂ）は図３に示した断熱箱１の板部１３，３３に平行な断面を示す図である。
【００３０】
本形態における断熱箱は図３に示すように、図１に示した外箱２に図２に示した内箱３が収容されて構成される。その際、図３に示すように、外箱２の底面となる板部１３上に内箱３が載置され、板部１３と内箱３の底面となる板部３３とが当接した状態となるが、図４（ａ）に示すように、外箱２を構成する板状部材１０と内箱３を構成する板状部材３０とが、コの字状の開放部分が逆向きとなるように、外箱２に内箱３が収容され、また、図４（ｂ）に示すように、外箱２を構成する板状部材２０と内箱３を構成する板状部材４０とが、コの字状の開放部分が逆向きとなるように、外箱２に内箱３が収容される。そして、内箱３を構成する板状部材３０，４０の板部３１〜３３，４１〜４３のそれぞれの縦横の長さが、外箱２を構成する板状部材１０，２０の対応する板部１１〜１３，２１〜２３のそれぞれの縦横の長さよりも、板状部材３０の２枚分の厚さだけ短くなっていることから、外箱２の側面を構成する板部１２に内箱３の側面を構成する板部４２が当接し、外箱２の側面を構成する板部２１に内箱３の側面を構成する板部４３が当接し、外箱２の側面を構成する板部２２に内箱３の側面を構成する板部３２が当接し、外箱２の側面を構成する板部２３に内箱３の側面を構成する板部４１が当接する。また、外箱２の板部１１と内箱３の板部３１が折り曲げられることで、外箱２と内箱３のそれぞれの蓋部が閉じられると、外箱２の板部１１と内箱３の板部３１とが当接することになる。また、図３（ｂ）及び図４（ａ）に示すように、内箱３が外箱２に収容された状態においては、内箱３の蓋部を構成する板部３１の上面の高さｈ１が、板状部材２０の上端部となる端面の高さｈ２と同じとなる。なお、内箱３を構成する板状部材３０，４０の板部３１〜３３，４１〜４３はそれぞれ、板部３１が板状部材１０の板部１１に対応し、板部３２が板状部材１０の板部１２に対応し、板部３３が板状部材１０の板部１３に対応し、板部４１が板状部材２０の板部２１に対応し、板部４２が板状部材２０の板部２２に対応し、板部４３が板状部材２０の板部２３に対応する。
【００３１】
以下に、上述した断熱箱１の具体的な使用形態について説明する。
【００３２】
図５及び図６は、図１〜図３に示した断熱箱１の具体的な使用形態を説明するための外観斜視図である。
【００３３】
上述した断熱箱１は、段ボール箱のような箱体に収容されて使用される。その際、断熱箱１は、収容部の大きさが断熱箱１の外箱２の大きさと同じ箱体に収容されることになる。
【００３４】
図１〜図３に示した断熱箱１を、収容部の大きさが断熱箱１の外箱２の大きさと同じ段ボール箱に収容して使用する場合は、まず、図５（ａ）に示すように、外箱２を構成する板状部材１０の板部１３が段ボール箱４の底面に当接するとともに、板状部材１０の板部１２が段ボール箱４の１つの側面に当接するようにして、段ボール箱４に板状部材１０を収容する。
【００３５】
次に、図５（ｂ）に示すように、外箱２を構成する板状部材２０の板部２１〜２３が、段ボール箱４の側面のうち板部１２に当接していない３つの側面に当接するようにして、段ボール箱４に板状部材２０を収容する。これにより、段ボール箱４内に、板状部材１０，２０からなる外箱２が収容された状態となる。この際、板状部材１０の板部１１は折り曲げずに外箱２の蓋部が開いた状態としておく。
【００３６】
次に、図６（ａ）に示すように、内箱３を構成する板状部材３０の板部３３が板状部材１０の板部１３に当接するとともに、板状部材３０の板部３２が板状部材２０の板部２２に当接するようにして、段ボール箱４に板状部材３０を収容する。
【００３７】
次に、図６（ｂ）に示すように、内箱３を構成する板状部材４０の板部４２が板状部材１０の板部１２に当接するとともに、板部４１，４３がそれぞれ板状部材２０の板部２３，２１に当接するようにして、段ボール箱４に板状部材４０を収容する。これにより、段ボール箱４に収容された外箱２内に、板状部材３０，４０からなる内箱３が収容された状態となる。この際、板状部材３０の板部３１は折り曲げずに内箱３の蓋部が開いた状態としておく。
【００３８】
このようにして、図１〜図３に示した断熱箱１が段ボール箱４に収容されることになる。その後、段ボール箱４に収容された断熱箱１内に、一定の温度に保冷する等、温度管理が必要となる物品が収容されることになる。
【００３９】
図７は、段ボール箱４に収容された断熱箱１内に物品を収容した状態を示す外観斜視図である。
【００４０】
図１〜図３に示した断熱箱１を用いて物品を一定の温度に保冷する場合は、図７に示すように、上記のようにして段ボール箱４に収容された断熱箱１内に、一定の温度で保冷したい物品５を収容するとともに、物品５の周囲に保冷剤６を収容する。保冷剤６は、繰り返し使用可能なタイプであっても、使い捨てタイプであってもよい。また、物品５や保冷剤６の周囲に空間が生じた場合、エアークッション等の緩衝材によってその空間を埋めることで、断熱箱１に収容された物品５の搬送途中等において、物品５を振動等から保護することができる。
【００４１】
段ボール箱４に収容された断熱箱１内に保冷剤６とともに物品５を収容した後、まず、内箱３の蓋部を構成する板部３１を折り部３４ａにて折り曲げることで内箱３の蓋部を閉じ、その後、外箱２の蓋部を構成する板部１１を折り部１４ａにて折り曲げることで外箱２の蓋部を閉じる。その際、上述したように、内箱３が外箱２に収容された状態においては、内箱３の蓋部を構成する板部３１の上面の高さが、外箱２の３つの側面を構成する板状部材２０の上端部となる端面と同じ高さであることにより、外箱２の蓋部が閉じられた場合、内箱３の蓋部の上面以外に板状部材２０の上端部に外箱２が当接した状態となるため、上面からの押圧に強くなる。
【００４２】
このようにして断熱箱１内に収容された物品５は、保冷剤６とともに断熱箱１内に収容されていることから、保冷剤６の冷気によって保冷される。
【００４３】
なお、断熱箱１が収容される箱体としては、上述したような段ボール箱４に限らず、折り畳みコンテナや断熱カバー等からなるものが考えられる。そのような箱体に上述した断熱箱１が収容されることで、一定の温度で保冷したい物品を収容して保管や搬送をするための物品収容箱が構成されることになる。
【００４４】
以下に、本形態の断熱箱１による作用について説明する。
【００４５】
図８は、図１〜図３に示した断熱箱１による作用を説明するための図であり、（ａ）は図３に示した断熱箱１の板部２１，２３，４１，４３に平行な断面を示す図、（ｂ）は図３に示した断熱箱１の板部１３，３３に平行な断面を示す図である。
【００４６】
図１〜図３に示した断熱箱１においては、コの字状に折り曲げ可能な板状部材３０，４０がそれぞれコの字状に折り曲げられた状態で互いに組み合わされて六面体からなる内箱３が構成されているため、図８（ａ）に示すように、板状部材３０の板部３１，３３と板状部材４０の板部４２との境界部分に隙間７ａが生じる場合があり、また、図８（ｂ）に示すように、板状部材３０の板部３２と板状部材４０の板部４１，４３との境界部分にも隙間７ａが生じる場合がある。
【００４７】
一方、コの字状に折り曲げ可能な板状部材１０，２０がそれぞれコの字状に折り曲げられた状態で互いに組み合わされて六面体からなる外箱２が構成されているため、図８（ａ）に示すように、板状部材１０の板部１１，１３と板状部材２０の板部２２との境界部分に隙間７ｂが生じる場合があり、また、図８（ｂ）に示すように、板状部材１０の板部１２と板状部材２０の板部２１，２３との境界部分にも隙間７ｂが生じる場合がある。
【００４８】
そして、内箱３が外箱２に収容されることで断熱箱１が構成されることになるが、内箱３が、内箱３の３つの側面を構成する板状部材４０のコの字状の開放部分が、外箱２の３つの側面を構成する板状部材２０のコの字状の開放部分とは逆向きとなるように外箱２に収容されるので、内箱３の蓋部、底面及び１つの側面を構成する板状部材３０のコの字状の開放部分も、外箱２の蓋部、底面及び１つの側面を構成する板状部材１０のコの字状の開放部分とは逆向きとなり、それにより、内箱３の板状部材３０の板部３１，３３と板状部材４０の板部４２との境界部分に隙間７ａが生じたとしても、図８（ａ）に示すように、その隙間７ａの外側の部分には、板状部材１０の板部１１，１３と板状部材２０の板部２２との境界部分に生じた隙間７ｂが存在せずに外箱２の板状部材１０の板部１２が存在し、また、内箱３の板状部材３０の板部３２と板状部材４０の板部４１，４３との境界部分に隙間７ａが生じたとしても、図８（ｂ）に示すように、その隙間７ａの外側の部分には、板状部材１０の板部１２と板状部材２０の板部２１，２３との境界部分に生じた隙間７ｂが存在せずに外箱２の板状部材２０の板部２１，２３が存在することになる。それにより、内箱３内の冷気が内箱３に生じた隙間７ａを介して内箱３の外部に漏れ出たとしても、外箱２の板状部材１０，２０にて止まることとなり、断熱箱１内の冷気の外部への漏れが少なくなる。
【００４９】
また、断熱性材料からなる２つの板状部材１０，２０で構成された六面体からなる外箱２に、断熱性材料からなる２つの板状部材３０，４０で構成された六面体からなる内箱３が収容されて断熱箱１が構成されるので、断熱箱１の六面の全てにおいて、断熱性材料からなる板状部材が２枚重ね合わされた状態となり、高い断熱性能が実現される。
【００５０】
また、外箱２を構成する板状部材１０，２０及び内箱３を構成する板状部材３０，４０を、紙を原料とする断熱性材料から構成することで、発泡スチロールにように使用後に産業廃棄物として廃棄する必要がなく、可燃ごみとして廃棄することができる。
【００５１】
（他の実施の形態）
図９は、本発明の断熱箱の他の実施の形態を示す外観斜視図である。
【００５２】
上述した実施の形態においては、外箱２内に１つの内箱３が収容されたものを例に挙げて説明したが、内箱３の３つの側面を構成する板状部材のコの字状の開放部分が、外箱２の３つの側面を構成する板状部材のコの字状の開放部分とは逆向きとなるとともに、それにより、内箱３の蓋部、底面及び１つの側面を構成する板状部材のコの字状の開放部分が、外箱２の蓋部、底面及び１つの側面を構成する板状部材のコの字状の開放部分とは逆向きとなるように、内箱３が外箱２内に収容されていれば、外箱２に収容される内箱３の数は１つに限らない。
【００５３】
例えば、図９（ａ）に示すように、外箱２内に２つの内箱３ａ，３ｂが積み重ねられて収容されたものであってもよい。その場合でも、内箱３ａ，３ｂのそれぞれについて３つの側面を構成する板状部材のコの字状の開放部分が、外箱２の板部２１〜２３からなる板状部材の開放部分とは逆向きとなるように内箱３ａ，３ｂが外箱２に収容されることになる。この場合、２つの内箱３ａ，３ｂが積み重ねられた高さが、外箱２の板部２１〜２３の連接方向に直交する方向の長さ以下である必要があるが、これらが同じであれば、外箱２の蓋部が閉じられた場合、内箱３ａの蓋部の上面以外に板部２１〜２３の端面に外箱２の板部１１が当接した状態となるため、上面からの押圧に強くなる。
【００５４】
また、図９（ｂ）に示すように、外箱２内に２つの内箱３ａ，３ｂが並べて収容されたものであってもよい。その場合でも、内箱３ａ，３ｂのそれぞれについて３つの側面を構成する板状部材のコの字状の開放部分が、外箱２の板部２１〜２３からなる板状部材の開放部分とは逆向きとなるように内箱３ａ，３ｂが外箱２に収容されることになる。
【００５５】
また、外箱２内に収容される内箱の数は、３つ以上であってもよい。
【００５６】
このように、外箱２内に複数の内箱を収容し、複数の内箱の内部の温度を個別に設定することで、複数の内箱毎に異なる温度環境を設定することができ、それにより、保管温度が互いに異なる物品を１つの断熱箱に収容して保管することができる。
【符号の説明】
【００５７】
１    断熱箱
２    外箱
３，３ａ，３ｂ    内箱
４    段ボール箱
５    物品
６    保冷剤
７ａ，７ｂ    隙間
１０，２０，３０，４０    板状部材
１１〜１３，２１〜２３，３１〜３３，４１〜４３    板部
１４ａ，１４ｂ，２４ａ，２４ｂ，３４ａ，３４ｂ，４４ａ，４４ｂ    折り部
【図１】
2018111521.tif 000003
【図２】
2018111521.tif 000004
【図３】
2018111521.tif 000005
【図４】
2018111521.tif 000006
【図５】
2018111521.tif 000007
【図６】
2018111521.tif 000008
【図７】
2018111521.tif 000009
【図８】
2018111521.tif 000010
【図９】
2018111521.tif 000011